(57)【特許請求の範囲】
【請求項１】
交流電源が通電する負荷と、前記交流電源を直接ＯＮ／ＯＦＦする電源スイッチと、前記交流電源の前記負荷への通電を制御する負荷制御用リレーとを備えた電気機器において、前記交流電源ＯＮ後の前記負荷への通電状態を保持するように前記負荷制御用リレーを駆動する自己保持動作を行う自動セット式自己保持回路であって、
前記負荷の安全装置と、
前記交流電源からの電源を供給する電源線上で前記安全装置と直列に接続され、前記安全装置が動作しない限り、前記自己保持動作のために前記負荷制御用リレーを駆動して前記交流電源を前記負荷に通電させる自己保持動作用リレーと、
前記電源スイッチのＯＮに応じて起動され、前記電気機器の回路動作を初期化するリセット出力信号を発生するリセット回路と、
前記自己保持動作用リレーと並列に導通経路を形成するように接続され、前記電源スイッチＯＮの後前記電気機器の回路動作の初期化の前の期間に特定の論理レベルを取る前記リセット出力信号または前記リセット出力信号に基づく信号に応じて、前記導通経路が導通して前記自己保持動作用リレーを起動するスイッチング素子とを備え、これにより、前記電源スイッチのＯＮにより前記電気機器の運転を開始するとともに、前記自己保持動作を開始する、自動セット式自己保持回路。
【請求項２】
前記電気機器は、前記電源スイッチＯＮの後前記交流電源を整流して前記電源線上に直流電源を供給する直流電源回路をさらに備え、
前記リセット回路の前記リセット出力信号は、前記電源スイッチＯＮの後前記直流電圧が所定電圧に到達するまでの期間中に強制的に、ＬｏｗまたはＨｉｇｈのいずれかである前記特定の論理レベルを取る、請求項１に記載の自動セット式自己保持回路。
【請求項３】
交流電源が通電する負荷と、前記交流電源を直接ＯＮ／ＯＦＦする電源スイッチと、前記交流電源の前記負荷への通電を制御する負荷制御用リレーと、前記電源スイッチＯＮの後前記交流電源を整流して電源線上に直流電源を供給する直流電源回路とを備えた電気機器において、前記交流電源ＯＮ後の前記負荷への通電状態を保持するように前記負荷制御用リレーを駆動する自己保持動作を行う自動セット式自己保持回路であって、
前記負荷の安全装置と、
前記電源線上で前記安全装置と直列に接続され、前記安全装置が動作しない限り、前記自己保持動作のために前記負荷制御用リレーを駆動して前記交流電源を前記負荷に通電させる自己保持動作用リレーと、
前記直流電源が所定電圧に到達するとタイマー出力信号を発生するタイマー回路と、
前記自己保持動作用リレーと並列に導通経路を形成するように接続され、前記直流電圧が前記所定電圧に到達した後の所定期間の間にＬｏｗまたはＨｉｇｈのいずれかを取る前記タイマー出力信号または前記タイマー出力信号に基づく信号に応じて、前記導通経路が導通して前記自己保持動作用リレーを起動するスイッチング素子とを備え、これにより、前記電源スイッチのＯＮにより前記電気機器の運転を開始するとともに、前記自己保持動作を開始する、自動セット式自己保持回路。
【発明の詳細な説明】
【０００１】
【発明の属する技術分野】
本発明は電源例えばＡＣ１００Ｖを直接ＯＮ／ＯＦＦする電源スイッチをもち、その電源スイッチがＯＮすることにより運転動作を開始する運転スイッチを兼ねる機器であって、
地震等の振動を感知したとき（感震スイッチ）、機器が持ち上げられたり転倒したことを感知したとき（転倒スイッチ）、サーモスタットまたはサーミスタ等で異常発熱を感知したとき（感温スイッチ）等の安全装置を備え、
これら安全装置が働いたときには、機器の負荷への通電をカットして機器の運転を停止させると共に、
機器の運転を再開させるためには、前記運転スイッチを兼ねる電源スイッチを一度ＯＦＦにした後、再びＯＮすれば足りる機器に関するものである。
【０００２】
【従来の技術】
例えばキッチンの流し台下部と床面の間に設置し、足元に電熱ヒーターで温風を発生し、暖房する足元温風機がある。簡単な暖房機器であり、従来は運転スイッチを兼ねた電源スイッチでＯＮ／ＯＦＦする程度で、中にはタイマー機能を備えたものもあった。
【０００３】
近年、ＰＬ法の制定等により電気製品の安全性向上が切に望まれてきている中、阪神大震災の発生（１９９５年１月１７日）により、地震発生時の電気製品の安全性が、特に注目されている。
【０００４】
従来の電気製品において、地震発生時に電気製品の運転を停止させ安全性を確保するためには感震スイッチを設け、緊急に運転を停止させていた。この場合電源（例えばＡＣ１００Ｖ）を直接ＯＮ／ＯＦＦするスイッチをもち、そのスイッチをＯＮすることにより動作を開始する機器においても、感震スイッチを設けようとすると、わざわざ電源トランス、ダイオードブリッジ、平滑用の電解コンデンサにより直流電源を構成し、感震スイッチを直列に接続した第１リレーの駆動コイル（またはスイッチング素子の駆動回路）を起動させるための瞬時導通スイッチとしてのノンロック式スイッチを設け、第１リレー起動後はノンロック式スイッチと並列に接続された第１リレー接点間でノンロック式スイッチの両端子間を接続する自己保持回路を設け、この自己保持回路により通電された第２リレーの駆動コイル（またはスイッチング素子の駆動回路でも良い。）により、機器の負荷に通電する第２リレー接点間をＯＮ（導通）させるのが一般的である。
【０００５】
そこで電源を直接ＯＮ／ＯＦＦするスイッチを備え、そのスイッチをＯＮすることにより動作を開始する機器の例として足元温風機を選び、通常の方法で感震スイッチを設けてみると、次に説明する図２のようになる。
【０００６】
まず図２に基づき構成を説明する。交流電源２０に直列に電源スイッチ１を接続し、これらと並列に負荷１６と負荷制御用のリレーＲＹ１の接点１５を直列に接続したもの、更に並列に電源トランス２の入力側を接続している。なお負荷としては電熱ヒーター付近が過熱したとき電熱ヒーターをＯＦＦするためのバイメタル等の安全装置を直列に接続した電熱ヒーター、この電熱を送風するための送風機等を備えている。
【０００７】
電源トランス２の出力側はダイオードブリッジ３に入力され、その出力は直流電源を平滑するための電解コンデンサＣ１に接続されている。平滑された直流電源は３端子の電圧レギュレーター５に入力され、その出力の所定電圧がリセットＩＣ６、タイマーＩＣ７に供給されると共に、起動用のノンロック式スイッチ１０と自己保持回路用リレーＲＹ０の接点１２とを並列接続したものに、ひとつは負荷１６制御用のリレーＲＹ１の駆動コイル１４と直列にこの駆動コイル１４への通電をＯＮ／ＯＦＦ制御するためのトランジスタ９のコレクターからエミッターを通してマイナス電圧側に、他のひとつは感震スイッチ１３と直列に自己保持回路用リレーＲＹ０の駆動コイル１１を接続して直流電源のマイナス電圧（ＧＮＤ）側に接続されている。
【０００８】
またリセットＩＣ６の出力がタイマーＩＣ７に入力され、タイマーＩＣ７の出力は抵抗Ｒ１、Ｒ２で分圧された電圧がリレーＲＹ１の駆動コイル１４制御用のトランジスタ９のベースに接続されている。またタイマーＩＣ７には発振回路を構成するためのコンデンサＣ２、抵抗Ｒ３、Ｒ４が外付けされている。
【０００９】
次にこの図２の回路動作を説明する。電源スイッチ１をＯＮすると回路全体に電源が供給される。
【００１０】
電源トランス２により降圧された交流電源はダイオードブリッジ３により全波整流され、その後電解コンデンサＣ１により平滑される。そして平滑された後、３端子の電圧レギュレーター５によりＩＣやリレーに必要な直流電源電圧Ｖ（ＤＤ）が作られる。電圧レギュレーター５の出力電圧は、電源スイッチ１のＯＮと同時に立ち上がり図３に示すように時間ｔとともに上昇し、電圧Ｖ（ＤＤ）になるとそれを維持するように働く。
【００１１】
リセットＩＣ６は図３のような電圧の立ち上がり時に図４のような経時変化の電圧（信号）を発生出力させるもので、電圧の立ち上がり時にタイマーＩＣや１チップマイコンを初期状態にセットするために用いられる。
【００１２】
図３は、電圧レギュレーター５の電圧の立ち上がり時に経時変化する出力電圧、つまりリセットＩＣ６の経時変化する入力電圧で、図４はリセットＩＣ６の経時変化する出力電圧である。
【００１３】
リセットＩＣ６の動作について図４を用いて説明すると電源スイッチ１のＯＮと同時に電圧は立ち上がり図３のように電圧Ｖ（ＤＤ）までなだらかに電圧が上昇して行くのであるが、電圧Ｖ（１）になるとリセットＩＣ６が動作を開始し、出力電圧をＬｏｗにする、そして電圧がＶ（２）になるとタイマーＩＣ７が動作可能状態となるが、リセットＩＣ６の出力電圧がＬｏｗのためＬｏｗ電圧リセットであるタイマーＩＣ７は初期状態にセットされるが動作は開始しない。
【００１４】
そして電圧がＶ（ＲＥＳ）になるとリセットＩＣ６の出力電圧がＨｉｇｈとなりタイマーＩＣ７は動作を開始する。このタイマーＩＣ７は外付けされたコンデンサＣ２と抵抗Ｒ３、Ｒ４を含めて発振回路を構成し、その発振数をカウントすることによりタイマー機能を有し、動作開始後ある一定の時間Ｔ（ＩＣ）がくると出力を反転させるというものである。
【００１５】
図２においてリセットＩＣ６の出力電圧がＨｉｇｈとなりタイマーＩＣ７が動作を開始するとリレーＲＹ１の駆動コイル１４制御用の出力端子８をＨｉｇｈ電圧にし、リレーＲＹ１の駆動コイル１４の制御用トランジスタ９をＯＮ（コレクターエミッター間が導通）する。しかし、ノンロック式スイッチ１０および自己保持回路用リレーＲＹ０の接点１２の両方ともがＯＦＦ（非導通）状態でリレーＲＹ１の駆動コイル１４に電源が供給されないため、リレーＲＹ１の駆動コイル１４は動作せずそのリレーＲＹ１の接点１５もＯＦＦ状態で負荷１６にも通電されない。
【００１６】
この自己保持回路用リレーＲＹ０の駆動コイル１１を動作させるために、つまりこの自己保持回路を起動させるために、ノンロック式スイッチ１０を押してＯＮすると感震スイッチ１３を通して、自己保持回路用リレーＲＹ０の駆動コイル１１に電源が供給され、自己保持回路用リレーＲＹ０の駆動コイル１１が動作し自己保持回路用リレーＲＹ０の接点１２がＯＮ状態になる。したがってノンロック式スイッチ１０を押すのをやめＯＦＦ状態にしても自己保持回路用リレーＲＹ０の接点１２を通して自己保持回路用リレーＲＹ０の駆動コイル１１の電源が供給され、自己保持回路が起動する。
【００１７】
すなわちノンロック式スイッチ１０を瞬時ＯＮすることによりノンロック式スイッチ１０、自己保持回路用リレーＲＹ０の駆動コイル１１、リレーＲＹ０の接点１２、感震スイッチ１３によって構成される自己保持回路が起動するのであるが、これによりリレーＲＹ１の駆動コイル１４の電源を自己保持回路用リレーＲＹ０の接点１２の後より取っているためリレーＲＹ１の駆動コイル１４に電源が供給され、既にリレーＲＹ１の駆動コイル１４の制御用トランジスタ９がＯＮしているのでリレーＲＹ１の駆動コイル１４が動作し、リレーＲＹ１の接点１５がＯＮするので負荷１６に通電が開始される。
【００１８】
そして、タイマーＩＣ７にあらかじめ設定されている時間Ｔ（ＩＣ）が経過するとタイマーＩＣ７のリレーＲＹ１の駆動コイル１４の制御用出力端子８の出力電圧が反転、すなわちＬｏｗ電圧となりリレーＲＹ１の駆動コイル１４の制御用トランジスタ９がＯＦＦとなるのでリレーＲＹ１の駆動コイル１４が動作を停止し、そのリレーＲＹ１の接点１５がＯＦＦとなるので負荷１６への通電が停止される。
【００１９】
タイマーＩＣ７が動作を開始し、かつ自己保持回路が起動してからタイマーＩＣ７にあらかじめ設定されている時間Ｔ（ＩＣ）に達するまでの間、つまり負荷１６に通電されている間に地震等が発生し、地震による揺れにより感震スイッチ１３が一瞬でもＯＦＦすると自己保持回路用リレーＲＹ０の駆動コイル１１の電源が遮断され動作を停止し、その自己保持回路用リレーＲＹ０の接点１２がＯＦＦする。
【００２０】
そして地震による揺れがなくなり感震スイッチ１３がＯＮ状態に復帰しても自己保持回路用リレーＲＹ０の駆動コイル１１の電源が供給されず、自己保持回路用リレーＲＹ０の接点１２はＯＦＦ状態を持続する。
【００２１】
上記動作を地震により感震スイッチ１３が働いたというのであるが、これにより自己保持回路が自己保持を解くため、負荷１６に通電されている間でもリレーＲＹ１の駆動コイル１４の電源が遮断されるので、リレーＲＹ１の駆動コイル１４が動作を停止し、リレーＲＹ１の接点１５がＯＦＦとなり負荷１６への通電が停止される。
【００２２】
このように電源を直接ＯＮ／ＯＦＦするスイッチをもち、そのスイッチをＯＮすることにより動作を開始する機器においても、感震スイッチを直列に挿入した自己保持回路を用いて地震発生時の安全性を確保することはできる。
【００２３】
【発明が解決しようとする課題】
前記『従来技術』欄で説明したように、電源スイッチ１のＯＮ後リセットＩＣ６の出力電圧がＨｉｇｈになると、タイマーＩＣ７が動作を開始し、リレーＲＹ１の駆動コイル１４の制御用トランジスタ９がＯＮとなり、リレーＲＹ１の駆動コイル１４が動作可能状態となるが、ノンロック式スイッチ１０を押して一旦ＯＮさせてやらないと自己保持回路が起動せずリレーＲＹ１の駆動コイル１４への電源が供給されないためリレーＲＹ１の駆動コイル１４が動作せず負荷１６への通電も開始されない。もしここで電源スイッチ１をＯＮした後かなり遅れてノンロック式スイッチ１０を押したとすると負荷１６への通電時間はタイマーＩＣ７にあらかじめ設定されている時間Ｔ（ＩＣ）よりその遅れた時間分だけ短くなるという欠点があった。
【００２４】
また、従来技術では電源スイッチ１をＯＮした後ノンロック式スイッチ１０を押す必要があり、操作が複雑で、もし電源スイッチ１のＯＮ後ノンロック式スイッチ１０を押すのを忘れると負荷１６への通電がまったくされないままになるという欠点があった。
【００２５】
電源を直接ＯＮ／ＯＦＦする電源スイッチがＯＮすることにより運転動作を開始する運転スイッチを兼ねる機器というのは、例えばキッチンの流し台下部と床面の間に設置し、足元に電熱ヒーターで温風を発生し、暖房する足元温風機とか、天井近くあるいは屋根裏等の高所に設置する換気扇等のように、機器の操作部に使用者の手が届きにくいもの、簡単な機器等にみられる。
【００２６】
しかし足元温風機のように電熱ヒーターを具備する機器は地震等への安全性の対応がおろそかであれば火災の原因にもなりかねない。かといって上記のように電源スイッチ１を押した後、更にノンロック式スイッチ１０をも押さねば運転を開始しないのであれば、使用者の手が機器の操作部に届きにくい機器では実際上使用できないことになる。
【００２７】
本発明は電源を直接ＯＮ／ＯＦＦする電源スイッチが運転スイッチを兼ねる機器であって、地震等の振動を感知したとき（感震スイッチ）、機器が持ち上げられたり転倒したことを感知したとき（転倒スイッチ）、サーモスタットまたはサーミスタ等で異常発熱を感知したとき（感温スイッチ）等の安全装置を備え、
これら安全装置が働いたときには、機器の負荷への通電をカットして機器の運転を停止させると共に、機器の運転を再開させるためには、前記の運転スイッチを兼ねる電源スイッチを一度ＯＦＦにした後、再びＯＮすれば足りる機器に使用する自動セット式自己保持回路を提供することを目的とするものである。
【００２８】
【課題を解決するための手段】
上記課題を解決するために、本発明の自動セット式自己保持回路は交流電源を直接ＯＮ／ＯＦＦする電源スイッチを備え、該電源スイッチをＯＮすることにより機器への通電状態を保持する自己保持回路の自己保持動作を開始すると共に動作を開始する機器において、前記電源スイッチに感震スイッチ、転倒スイッチ、サーモスタット等の安全装置を直列に挿入した自己保持回路の起動開始のための短時間の入力信号で動作する瞬時導通スイッチとしてスイッチング素子を用い、該スイッチング素子を駆動するための信号として前記電源スイッチのＯＮにより発生する信号又はこれを利用した信号を用いるものである。
【００２９】
また本発明の自動セット式自己保持回路は自己保持回路の前記スイッチング素子を駆動するための信号として前記電源スイッチのＯＮにより発生するリセットＩＣの出力信号又はこれを利用した信号を用いたものである。
【００３０】
また本発明の自動セット式自己保持回路は自己保持回路の前記スイッチング素子を駆動するための信号として前記電源スイッチのＯＮ後印加される直流電源回路の直流電圧が所定電圧に立ち上がるまでの間、強制的に電圧Ｌｏｗ（又はＨｉｇｈ）出力とする回路を備え、該回路の電圧Ｌｏｗ（又はＨｉｇｈ）出力信号又はこれを利用した信号を用いたものである。
【００３１】
また本発明の自動セット式自己保持回路は電源を直接ＯＮ／ＯＦＦする電源スイッチを備え、該電源スイッチをＯＮすることにより動作を開始する機器において、感震スイッチ、転倒スイッチ、サーモスタット等を直列に挿入した自己保持回路の起動開始のための瞬時導通スイッチとしてスイッチング素子を用い、該スイッチング素子を駆動するための信号として前記電源スイッチのＯＮ後印加される直流電源回路の直流電圧が所定電圧に立ち上がると共に駆動するタイマー回路を備え、該タイマー回路の所定時間内の電圧Ｌｏｗ（又はＨｉｇｈ）出力信号又はこれを利用した信号を用いたものである。
【００３２】
本発明は上記解決手段により、自己保持回路の起動開始のための瞬時導通スイッチとしてスイッチング素子を用い、該スイッチング素子を駆動するための信号として前記電源スイッチのＯＮにより発生する信号又はこれを利用した信号を用いるので、自己保持回路の起動が電源スイッチのＯＮにより自動的に行われ、従来技術で説明したような、自己保持回路の起動開始のための瞬時導通スイッチである、ノンロック式スイッチを押すことによる、自己保持回路の起動操作をする必要がなく、操作が単純で、かつ電源スイッチのＯＮからノンロック式スイッチを押すまでの時間分の、負荷通電のタイマー時間に対するロス時間もなく、また電源スイッチのＯＮ後ノンロック式スイッチを押して自己保持回路を起動させるのを忘れた場合の負荷への無通電ということもなくなる。
【００３３】
使用者の手が機器の操作部に届きにくい機器でも自己保持回路の起動が電源スイッチのＯＮにより自動的に行われるため、電源スイッチＯＮのみで運転が開始でき、感震スイッチが動作したときでも、機器の運転を再開させるためには、前記運転スイッチを兼ねる電源スイッチを一度ＯＦＦにした後、再びＯＮすれば足りるものである。
【００３４】
そして、自己保持回路の起動開始のための瞬時導通スイッチとして設けたスイッチング素子を駆動するための信号として、前記電源スイッチのＯＮにより発生するリセットＩＣの出力信号又はこれを利用した信号を用いることができる。リセットＩＣは１チップマイコンやタイマーＩＣを使用する回路に不可欠であり、兼用できるためコストダウンにもなり、より有効である。
【００３５】
また前記電源スイッチのＯＮ後印加される直流電源回路の直流電圧が所定電圧に立ち上がるまでの間、強制的に電圧Ｌｏｗ（又はＨｉｇｈ）出力とするリセットＩＣと同等の機能を他のディスクリート部品で構成する回路でも実現でき、この電圧Ｌｏｗ（又はＨｉｇｈ）出力又はこれを利用した信号を起動開始のための瞬時導通スイッチとして設けたスイッチング素子を駆動するための信号として利用できることはいうまでもない。
【００３６】
また前記電源スイッチのＯＮ後印加される直流電源回路の直流電圧が所定電圧に立ち上がると共に駆動するタイマー回路を備え、該タイマー回路の所定時間後の電圧Ｌｏｗ（又はＨｉｇｈ）出力信号又はこれを利用した信号を起動開始のための瞬時導通スイッチとして設けたスイッチング素子を駆動するための信号として利用できる。
【００３７】
【発明の実施の形態】
以下、本発明の実施例について図１を参照しながら説明する。まず図１の構成を説明する。なお、『従来技術』欄にて既に説明したものと同一構成部分には同一符号を付する。
【００３８】
交流電源２０に直列に電源スイッチ１を接続し、これらと並列に負荷１６と負荷制御用のリレーＲＹ１の接点１５を直列に接続したもの、更に並列に電源トランス２の入力側を接続している。なお負荷としては電熱ヒーター付近が過熱したとき電熱ヒーターをＯＦＦするためのバイメタル等の安全装置を直列に接続した電熱ヒーター、この電熱を送風するための送風機等を備えている。
【００３９】
電源トランス２の出力側はダイオードブリッジ３に入力され、その出力は直流電源を平滑するための電解コンデンサＣ１に接続されている。平滑された直流電源は３端子の電圧レギュレーター５に入力され、その出力の所定電圧がリセットＩＣ６、タイマーＩＣ７に供給されると共に、従来例の起動用のノンロック式スイッチに代わって自己保持回路の起動用トランジスタ１９を用いている。
【００４０】
すなわち自己保持回路用リレーＲＹ０の接点１２と起動用トランジスタ１９のエミッタとコレクターを並列に接続している。なおエミッター側が３端子の電圧レギュレーター５の出力側に接続されている。この３端子の電圧レギュレーター５の出力側より抵抗Ｒ６、Ｒ５を直列に接続してリセットＩＣ６の出力側へと接続している。そして抵抗Ｒ６とＲ５の接続点を起動用トランジスタ１９のベースに接続している。
【００４１】
自己保持回路用リレーＲＹ０の接点１２と起動用トランジスタ１９のエミッタとコレクターを並列に接続したものに、ひとつは負荷１６制御用のリレーＲＹ１の駆動コイル１４と直列にこの駆動コイル１４への通電をＯＮ／ＯＦＦ制御するためのトランジスタ９のコレクターからエミッターを通して直流電源のマイナス電圧（ＧＮＤ）側に、他のひとつは感震スイッチ１３と直列に自己保持回路用リレーＲＹ０の駆動コイル１１を接続して直流電源のマイナス電圧（ＧＮＤ）側に接続されている。
【００４２】
またリセットＩＣ６の出力がタイマーＩＣ７に入力され、タイマーＩＣ７の出力は抵抗Ｒ１、Ｒ２で分圧された電圧がリレーＲＹ１の駆動コイル１４制御用のトランジスタ９のベースに接続されている。またタイマーＩＣ７には発振回路を構成するためのコンデンサＣ２、抵抗Ｒ３、Ｒ４が外付けされている。
【００４３】
なおリセットＩＣ６としてはミツミ電機株式会社製のＰＳＴ５９１Ｄ、タイマーＩＣ７としてはローム株式会社製のＣＲタイマ：ＢＵ２３０２、３端子の電圧レギュレータ５としては松下電子工業株式会社製のＡＮ７８２４を使用している。
【００４４】
次にこの図１の回路動作を説明する。電源スイッチ１をＯＮすると回路全体に電源が供給される。電源トランス２により降圧された交流はダイオードブリッジ３により全波整流され、その後電解コンデンサＣ１により平滑される。そして平滑された後、電圧レギュレーター５によりＩＣやリレーに必要な電圧Ｖ（ＤＤ）が作られる。電圧レギュレーター５の出力電圧は、電源スイッチ１のＯＮと同時に立ち上がり図３に示すように時間ｔとともに上昇し、電圧Ｖ（ＤＤ）になるとそれを維持するように働く。
【００４５】
リセットＩＣ６は図３のような電圧の立ち上がり時に図４のような経時変化の電圧（信号）を発生出力し、これにより、Ｌｏｗ電圧でリセットされるタイマーＩＣ７は初期状態にセットされ、電圧がＶ（ＲＥＳ）になると動作を開始する。
【００４６】
タイマーＩＣ７が動作を開始するとリレーＲＹ１の駆動コイル１４の制御用出力端子８の出力電圧をＨｉｇｈにし、リレーＲＹ１の駆動コイル１４の制御用トランジスタ９をＯＮ（コレクターとエミッター間が導通）する。
【００４７】
その一方、従来技術で自己保持回路を起動させるために用いたノンロック式スイッチ１０の代わりに、本発明では起動用トランジスタ１９を用いており、その起動用トランジスタ１９のベースへの入力信号をリセットＩＣ６の出力より得ている。
【００４８】
電源スイッチ１をＯＮした時、前記のようにタイマーＩＣ７を初期状態にセットするためにリセットＩＣ６は図４のような経時変化の電圧（信号）を発生出力するのであるが、短時間ではあるが電圧がＶ（ＲＥＳ）に達するまでの、この信号のＬｏｗ電圧の部分によりリセットＩＣ６の出力電圧を入力信号とした起動用トランジスタ１９はＯＮする。
【００４９】
これにより、自己保持回路用リレーＲＹ０の駆動コイル１１の電源が感震スイッチ１３を通して供給され、自己保持回路用リレーＲＹ０の駆動コイル１１が動作し自己保持回路用リレーＲＹ０の接点１２がＯＮ（導通）状態になる。
【００５０】
そして、電圧がＶ（ＲＥＳ）に達し、リセットＩＣ６の出力電圧がＨｉｇｈになると起動用トランジスタ１９はＯＦＦするが、自己保持回路用リレーＲＹ０の駆動コイル１１の電源が自己保持回路用リレーＲＹ０の接点１２を通して供給されるため、抵抗Ｒ６、Ｒ５、リセットＩＣ６、起動用トランジスタ１９、自己保持回路用リレーＲＹ０の駆動コイル１１、リレーＲＹ０の接点１２、感震スイッチ１３によって構成される自己保持回路が起動する。
【００５１】
すなわち、タイマーＩＣ７が動作を開始しリレーＲＹ１の駆動コイル１４の制御用トランジスタ９をＯＮさせた時には、既に自己保持回路は起動しており自己保持回路用リレーＲＹ０の接点１２を通してリレーＲＹ１の駆動コイル１４に電源が供給されているため、リレーＲＹ１の駆動コイル１４が動作し、リレーＲＹ１の接点１５がＯＮ（導通）するので負荷１６に通電が開始される。
【００５２】
そして、タイマーＩＣ７にあらかじめ設定されている時間Ｔ（ＩＣ）が経過すると、タイマーＩＣ７のリレーＲＹ１の駆動コイル１４の制御用出力端子８の出力電圧が反転、すなわち、Ｌｏｗ電圧となりリレーＲＹ１の駆動コイル１４の制御用トランジスタ９がＯＦＦとなるのでリレーＲＹ１の駆動コイル１４が動作を停止し、そのリレーＲＹ１の接点１５がＯＦＦとなるので負荷１６への通電が停止される。
【００５３】
そして、負荷１６に通電されている間に地震等が発生し、地震による揺れにより感震スイッチ１３が一瞬でもＯＦＦすると自己保持回路用リレーＲＹ０の駆動コイル１１への電源が遮断され、動作を停止し、その自己保持回路用リレーＲＹ０の接点１２がＯＦＦ（開）する。
【００５４】
そして地震による揺れがなくなり感震スイッチ１３がＯＮ状態（導通状態）に復帰しても自己保持回路用リレーＲＹ０の駆動コイル１１への電源が供給されず、自己保持回路用リレーＲＹ０の接点１２はＯＦＦ状態を持続する。
【００５５】
このように地震により感震スイッチ１３が働くと負荷１６に通電されている間でもリレーＲＹ１の駆動コイル１４への電源が遮断されるので、リレーＲＹ１の駆動コイル１４が動作を停止し、リレーＲＹ１の接点１５がＯＦＦとなり、負荷１６への通電が停止される。
【００５６】
本実施例では自己保持回路の起動開始のための瞬時導通スイッチとしてのスイッチング素子として起動用トランジスタ１９はＰＮＰトランジスタを用い、このトランジスタを駆動するための信号としてリセットＩＣ６の立ち上がり時のＬｏｗ出力電圧を使用しているが、このＬｏｗ出力電圧を利用してこのＬｏｗ電圧をトランジスタなどを用いて反転させたＨｉｇｈ電圧を使用したり、ＰＮＰトランジスタの代わりにＮＰＮトランジスタやサイリスタ等の他のスイッチング素子を用いて本発明を実施することは当業者であれば容易にできる設計事項である。
【００５７】
また図４の立ち上がり時のＬｏｗ出力電圧を利用して、これに遅延をかけて作った信号を用いて、立ち上がった後に自己保持回路の起動開始のための瞬時導通スイッチを導通させて自己保持させることも本発明の実施の範囲である。
【００５８】
なお本実施例ではリセットＩＣ６としてＬｏｗ電圧のリセット出力のもので説明したが、図５に示すＨｉｇｈ電圧のリセット出力のものでも、自己保持回路の起動開始のための瞬時導通スイッチを導通させて自己保持させることができる。
【００５９】
このように電源を直接ＯＮ／ＯＦＦするスイッチをもち、そのスイッチをＯＮすることにより動作を開始する機器においても、電源をＯＮ／ＯＦＦするスイッチのＯＮにより発生する信号又はこれを利用した信号を感震スイッチ等を直列に挿入した自己保持回路の起動開始のためのスイッチング素子を駆動するための信号とすることにより、地震発生時等の安全性を確保した、操作の単純な機器を実現できる。
【００６０】
今回説明の簡略化のためリセットＩＣを用いて実施例を説明したが、電源立ち上がりとともに信号を発生し、それによって自己保持回路の起動開始を行えるものであればリセットＩＣを用いずとも、これと同じ機能を果たす他のディスクリート部品で構成しても実現できる。
【００６１】
また、実施例ではタイマーＩＣを用いて説明を行ったが、これはマイコンでも、ディスクリート部品で構成しても電源スイッチのＯＮにより動作を開始する回路構成であれば実現できる。
【００６２】
また、自己保持回路の自己保持を解く感震スイッチの代わりに、その他の安全装置たとえば、転倒スイッチ、サーモスタット等で構成しても、本発明の自動セット式自己保持回路の動作に影響は与えない。自己保持回路についても、実施例ではリレーを用いて構成しているが、トランジスタ等のディスクリート部品にて構成しても実現できる。
【００６３】
また負荷の制御方法についても実施例では、リレー制御としたが、他のどんな制御方法でも、たとえば双方向性サイリスタ（トライアック）等のスイッチング素子を用いた制御でも実現できる。負荷の種類についても特に限定すべき要件はない。
【００６４】
また別の実施例として、電源スイッチのＯＮとともに、電源トランスを介して、直流電源回路の直流電源が立ち上がるが、所定の電圧になると、例えばコンデンサＣ、抵抗Ｒからなる単純なタイマー回路が動作し、その所定タイマー時間内は電圧Ｌｏｗ又はＨｉｇｈの出力を得ることができ、この出力信号又はこれを利用した信号で自己保持回路の起動開始のための瞬時導通スイッチとしてのスイッチング素子を駆動させることができる。
【００６５】
この場合のタイマー時間は短いもので良い。起動開始のための瞬時導通スイッチとしてのスイッチング素子（図１では１９が相当する。）を駆動させ、そのスイッチング素子の導通により自己保持回路用のリレーの駆動コイル等（図１では１１が相当する。）を導通させ得れば良いからである。
【００６６】
【発明の効果】
本発明は実施例からも明らかなように、電源を直接ＯＮ／ＯＦＦする電源スイッチをもち、その電源スイッチをＯＮすることにより動作を開始する機器において、自己保持回路の起動開始のための瞬時導通スイッチとしてスイッチング素子を用い、該スイッチング素子を駆動するための信号として前記電源スイッチのＯＮにより発生する信号又はこれを利用した信号を用いるので、自己保持回路の起動が電源スイッチのＯＮにより自動的に行われ、従来技術で説明したような、自己保持回路の起動開始のための瞬時導通スイッチであるノンロック式スイッチを押すことによる自己保持回路の起動操作をする必要がなく、操作が単純で、かつ電源スイッチのＯＮからノンロック式スイッチを押すまでの時間分の、負荷通電のタイマー時間に対するロス時間もなく、また電源スイッチのＯＮ後ノンロック式スイッチを押して自己保持回路を起動させるのを忘れた場合の負荷への無通電ということもなくなる。
【００６７】
使用者の手が機器の操作部に届きにくい機器でも自己保持回路の起動が電源スイッチのＯＮにより自動的に行われるため、電源スイッチＯＮのみで運転が開始でき、感震スイッチが動作したときでも、機器の運転を再開させるためには、前記運転スイッチを兼ねる電源スイッチを一度ＯＦＦにした後、再びＯＮすれば足りるものである。
【００６８】
そして、自己保持回路の起動開始のための瞬時導通スイッチとして設けたスイッチング素子を駆動するための信号として、前記電源スイッチのＯＮにより発生するリセットＩＣの出力信号又はこれを利用した信号を用いることができるが、リセットＩＣは１チップマイコンやタイマーＩＣを使用する回路に不可欠であり、兼用できるためコストダウンにもなり、より有効である。
【００６９】
なおリセットＩＣと同等の機能を他のディスクリート部品で構成する回路でも実現でき、これらの出力信号又はこれを利用した信号を起動開始のための瞬時導通スイッチとして設けたスイッチング素子を駆動するための信号として利用できることはいうまでもない。
【図面の簡単な説明】
【図１】本発明の自己保持回路の起動が電源をＯＮ／ＯＦＦするスイッチのＯＮにより自動的に行われる実施例の回路図である。
【図２】自己保持回路の起動をノンロック式スイッチ押して瞬時導通させて行う従来技術を用いた実施例の回路図である。
【図３】電圧レギュレーターの出力電圧立ち上がり時に経時変化する電圧を示す図である。
【図４】リセットＩＣの出力電圧立ち上がり時に経時変化する電圧を示す図である。  （Ｌｏｗ電圧リセット出力タイプの例）
【図５】リセットＩＣの出力電圧立ち上がり時に経時変化する電圧を示す図である。  （Ｈｉｇｈ電圧リセット出力タイプの例）
【符号の説明】
１  電源スイッチ
２  電源トランス
３  ダイオードブリッジ
５  ３端子電圧レギュレーター
６  リセットＩＣ
７  タイマーＩＣ
８  （タイマーＩＣの）リレーＲＹ１制御用出力端子
９  リレーＲＹ１制御用トランジスタ
１０  起動用ノンロック式スイッチ（瞬時導通スイッチ）
１１  自己保持回路用リレーＲＹ０の駆動コイル
１２  自己保持回路用リレーＲＹ０の接点
１３  感震スイッチ
１４  負荷制御用リレーＲＹ１の駆動コイル
１５  負荷制御用リレーＲＹ１の接点
１６  （機器の）負荷
１９  起動用トランジスタ（スイッチング素子）
【図１】
0003560083.tif 000002
【図２】
0003560083.tif 000003
【図３】
0003560083.tif 000004
【図４】
0003560083.tif 000005
【図５】
0003560083.tif 000006